(57)【要約】      （修正有）【課題】炊飯器などの家庭用電気製品において、省スペース性を損なうことなく電源コードのプラグを収容する。【解決手段】本体と、本体のコード出口３４から外部に延びる電源コード３６と、本体に形成され、外部から内部に気体を取り入れる、または内部から外部に気体を吐き出す通気口４１と、本体の通気口４１が設けられた部分に形成された段部からなり、電源コード３６の先端部を構成するプラグ３７の縦寸法よりも大きな縦寸法と、プラグ３７の長さよりも長い長さ寸法とを有し、プラグ３７を固定する固定部４４とを備えた。【選択図】図６
2015029880.tif 000002
【特許請求の範囲】
【請求項１】
本体と、
前記本体のコード出口から外部に延びる電源コードと、
前記本体に形成され、外部から内部に気体を取り入れる、または内部から外部に気体を吐き出す通気口と、
前記本体の前記通気口が設けられた部分に形成された段部からなり、前記電源コードの先端部を構成するプラグの縦寸法よりも大きな縦寸法と、前記プラグの長さよりも長い長さ寸法とを有し、前記プラグを固定する固定部と、
を備えた家庭用電気製品。
【請求項２】
前記固定部は、前記本体の前記通気口が設けられた部分を窪ませることで形成され、前記プラグの横寸法よりも大きな横寸法を有し、前記プラグを収容する収容凹部である、請求項１に記載の家庭用電気製品。
【請求項３】
前記収容凹部の前記コード出口側の端面と前記コード出口との間の距離が、前記プラグの長さよりも短い、請求項２に記載の家庭用電気製品。
【請求項４】
前記収容凹部の前記コード出口側の端面と前記コード出口との間に、前記収容凹部と前記コード出口とを連通する連通溝が設けられた、請求項２または３に記載の家庭用電気製品。
【請求項５】
前記収容凹部の表面から突出し、前記プラグを固定する固定用リブが設けられ、
前記固定用リブは、前記収容凹部内を前記プラグに向かう方向に延びる、請求項２から４のいずれかに記載の家庭用電気製品。
【請求項６】
前記収容凹部に収容されたプラグが前記通気口の長手方向と平行に位置する、請求項２から５のいずれかに記載の家庭用電気製品。
【請求項７】
前記通気口は前記本体の底壁に設けられ、
前記収容凹部は、
前記通気口の一方側に設けられ鉛直方向に延びる縦壁と、前記縦壁の端部から水平方向に他方側に向かって延びる天壁と、前記天壁の他方側端部から他方側に斜めに延びる傾斜壁とからなる、請求項２から６のいずれかに記載の家庭用電気製品。
【発明の詳細な説明】
【技術分野】
【０００１】
本発明は、例えば炊飯器など家庭用電気製品に関する。
【背景技術】
【０００２】
特許文献１に記載された炊飯器は、電源コードを巻き込んだコードリールを備える。底部材の底部には電源コードのプラグを収容するためのみの凹部が設けられている。
【０００３】
しかし、電源コードのプラグ収容のみのために凹部を設けることは、省スペース化に反し、製品の大型化に繋がる。
【先行技術文献】
【特許文献】
【０００４】
【特許文献１】特開２００４−８９２２５号公報
【発明の概要】
【発明が解決しようとする課題】
【０００５】
本発明は、炊飯器などの家庭用電気製品において、省スペース性を損なうことなく電源コードのプラグを収容することを課題とする。
【課題を解決するための手段】
【０００６】
本発明の家庭用電気製品は、
本体と、
前記本体のコード出口から外部に延びる電源コードと、
前記本体に形成され、外部から内部に気体を取り入れる、または内部から外部に気体を吐き出す通気口と、
前記本体の前記通気口が設けられた部分に形成された段部からなり、前記電源コードの先端部を構成するプラグの縦寸法よりも大きな縦寸法と、前記プラグの長さよりも長い長さ寸法とを有し、前記プラグを固定する固定部と、
を備えた。
【０００７】
本発明では、通気口が設けられた部分に形成された段部を利用してプラグを固定することで、通気とプラグの固定という２つの役割を通気口に兼用させることにより、省スペース性を損なうことなく電源コードのプラグを固定できる。
【０００８】
前記固定部は、前記本体の前記通気口が設けられた部分を窪ませることで形成され、前記プラグの横寸法よりも大きな横寸法を有し、前記プラグを収容する収容凹部であることが好ましい。
【０００９】
本発明では、通気口が設けられた部分に通気面積を増やすために形成された収容凹部にプラグを収容するので、通気口に通気とプラグの収容という２つの役割を兼用させ、省スペース性を損なうことなくプラグを収容できる。プラグを収容凹部に収容できるので、プラグが本体から外方に突出し、人や他の電気製品と接触することによりプラグが痛むのを防止できる。また、収容凹部にプラグを固定し通気口の一部を塞ぐことで、通気口から本体内部に埃などが侵入するのを防止できる。
【００１０】
前記収容凹部の前記コード出口側の端面と前記コード出口との間の距離が、前記プラグの長さよりも短いことが好ましい。
【００１１】
上記構成により、収容凹部とコード出口とを近くに配置し、コード出口から引き出された電源コードを収容凹部に収容する作業の効率を向上できる。
【００１２】
前記収容凹部の前記コード出口側の端面と前記コード出口との間に、前記収容凹部と前記コード出口とを連通する連通溝が設けられることが好ましい。
【００１３】
収容凹部にプラグを収容し、コード出口から外方に延びる電源コードを連通溝に挿通することで、電源コードが本体からはみ出るのを防止し電源コードをより確実に本体に収容できる。
【００１４】
前記収容凹部の表面から突出し、前記プラグを固定する固定用リブが設けられ、
前記固定用リブは、前記収容凹部内を前記プラグに向かう方向に延びることが好ましい。
【００１５】
上記構成により、固定用リブの構成を簡単にし、製造コストを削減できる。
【００１６】
前記収容凹部に収容されたプラグが前記通気口の長手方向と平行に位置することが好ましい。
【００１７】
上記構成により、通気口の面積を有効に活用して収容凹部にプラグを収容できる。
【００１８】
前記通気口は前記本体の底壁に設けられ、
前記収容凹部は、
前記通気口の一方側に設けられ鉛直方向に延びる縦壁と、前記縦壁の端部から水平方向に他方側に向かって延びる天壁と、前記天壁の他方側端部から他方側に斜めに延びる傾斜壁とからなることが好ましい。
【００１９】
上記構成により、外方から天壁に向かって収容凹部にプラグを挿入する際、収容凹部にプラグを収容する初期の収容凹部の開口面積が大きく、プラグを収容凹部に収容し易い。
【発明の効果】
【００２０】
本発明によれば、通気とプラグの収容という２つの役割を通気口に兼用させることにより、省スペース性を損なうことなく電源コードのプラグを収容できる。
【図面の簡単な説明】
【００２１】
【図１】本発明の実施形態に係る炊飯器において蓋体が開放した状態を示す斜視図。
【図２】図１の炊飯器本体の分解斜視図。
【図３】炊飯器本体の側面図。
【図４】炊飯器本体の底面図。
【図５】（Ａ）はコード出口を示す拡大斜視図、（Ｂ）は電源コードの拡大斜視図。
【図６】コード出口から電源コードを引っ張り出した状態の底面図。
【図７】プラグを収容凹部に収容し固定した状態の底面図。
【図８】（Ａ）は図６のＡ−Ａ線断面図、（Ｂ）は図６のＢ−Ｂ線断面図、（Ｃ）は図６のＣ−Ｃ線断面図。
【図９】図２の基板ホルダとコードリール収容部との下方斜視図。
【図１０】基板ホルダにコードリール収容部と回路基板とを配設した状態を示す底面図。
【図１１】（Ａ）は回路基板の正面図、（Ｂ）は回路基板の側面図。
【図１２】図８（Ｂ）の固定部の変形例を示す断面図。
【図１３】図７に示す固定用リブの変形例を示す底面図。
【図１４】固定用リブの更なる変形例を示す断面図。
【発明を実施するための形態】
【００２２】
以下、本発明の実施形態を、炊飯器を例にして図面に従って説明する。
【００２３】
図１に示すように、炊飯器１０は、炊飯器本体（本体）１１と、後述するヒンジ軸２３を中心に回動し、炊飯器本体１１に開閉可能に取り付けられ、後述する内鍋１５を閉蓋する蓋体１２とを備えている。炊飯器本体１１には、電源コード３６（図２参照）を介して商用電源から電力が供給される。
【００２４】
図２を併せて参照すると、炊飯器本体１１は、内鍋１５と、内鍋１５を収容する胴部１６と、胴部１６の上部に設けられる肩体２０と、胴部１６の底を閉じる底体２７と、肩体２０と底体２７との間に配設される基板ホルダ６２とを備えている。
【００２５】
内鍋１５は内部に、例えば、飯米および水などの調理物がセットされる公知の鍋である。内鍋１５の外周部には、内鍋１５を加熱する内鍋ヒータ１７が配設されている。胴部１６は、上端、下端および側面の一部が開放した筒状である。
【００２６】
肩体２０は円環状であり、その開口縁部で内鍋１５の上端のフランジ部を保持している。肩体２０の奥側には、蓋体１２を開閉可能に接続するヒンジ接続部２２が設けられている。ヒンジ接続部２２は上方に向かって延びている。ヒンジ接続部２２の両側には、ヒンジ軸２３を軸支するヒンジ孔２４が形成されている。以下、炊飯器１０のヒンジ接続部２２側（図２中、矢印Ｄ方向）を奥側、ヒンジ接続部２２と反対側を手前側という。
【００２７】
底体２７は、胴部１６の下端に接続すると共に、胴部１６の奥側側面を閉じている。胴部１６と底体２７の奥側には、基板ホルダ６２を収容する基板ホルダ収容部２８が形成されている。
【００２８】
図３に示すように、底体２７の底壁３０には、下向きに突出する脚部３１と補助脚３２とが設けられている。脚部３１は、シンクなどの設置面に対して底体２７が所定の隙間をもって位置するように設置されている。
【００２９】
補助脚３２は、ヒンジ軸２３に関して内鍋１５と反対側、すなわち底壁３０の奥側端部に設けられている。補助脚３２は円筒形であり、内部に、炊飯器本体１１を設置面に対して滑り止めするゴム材が埋め込まれている。なお、補助脚３２の配設場所は底体２７の奥側端部のみならず、ヒンジ軸２３の中心線Ｌ１よりも奥側（矢印Ｄ側）に配設される限り、特に限定されない。この構成により、蓋体１２を開放した際の衝撃で炊飯器１０がバウンドしたり、転倒するのを防止できる。
【００３０】
また、図４に示すように、底体２７の底壁３０は、奥側に位置するコード出口３４と、奥側中央部に位置する通気口である吸気口４１と、手前側に位置する排気口５４と、コード出口３４と吸気口４１との間に位置するプラグ配設部５６と、プラグ配設部５６に隣接する連通溝５８とを備えている。
【００３１】
図５（Ａ）に示すように、コード出口３４は底体２７の奥側下部に設けられ、底体２７の内部と外部とを連通する矩形の開口である。コード出口３４からは、後述するコードリール７４に巻回された電源コード３６のプラグ３７が外方に延びている。図６に示すように、コード出口３４は後述する収容凹部４４の第１端面４５の近傍に位置している。コード出口３４の中央の点Ｐ１と第１端面４５との間の距離Ｌ１１は、プラグ３７の長さＬ４よりも短い。このように、コード出口３４と収容凹部４４とを近くに配置することで、コード出口３４から引き出された電源コード３６を収容凹部４４に収容する作業の効率を向上できる。
【００３２】
図５（Ｂ）に示すように、電源コード３６には、先端部を構成し商用電源に接続されるプラグ３７が設けられている。プラグ３７の縦寸法Ｌ２は横寸法Ｌ３よりも大きい。
【００３３】
吸気口４１は、炊飯器本体１内部の部品を冷却するために、後述するファン（図示せず）が回転することで炊飯器本体１の外部から内部に空気を取り入れる。部品を冷却した空気は、排気口５４から外部に吐き出される。
【００３４】
吸気口４１は、底体２７の長手方向に延びる複数列のスリット４２，４２からなる格子状である。図６および図７に示すように、吸気口４１は、炊飯器本体１の吸気口４１が設けられた部分を窪ませることで形成された収容凹部（固定部）４４と、収容凹部４４の長手方向中央部に形成された固定用リブ５２とを備えている。
【００３５】
収容凹部４４は、吸気面積を増やし、吸気効率を高めるために設けられている。収容凹部４４は、コード出口３４側の第１端面４５と、この第１端面４５と対向する第２端面４６との間に形成されている。図８（Ｂ）に示すように、収容凹部４４は、吸気口４１の奥側に設けられ鉛直方向に延びる縦壁４７と、縦壁４７の端部から水平方向に手前側に向かって延びる天壁４８と、天壁４８の手前側端部から手前側に斜めに延びる傾斜壁４９とからなる。傾斜壁４９により収容凹部４４を構成することで、図８（Ｂ）中、収容凹部４４の外部から天壁４８に向かうに従って、収容凹部４４の開口面積が小さくなる。なお、縦壁４７と天壁４８とが段部を形成している。
【００３６】
図６に示すように、収容凹部４４の長手方向寸法、すなわち第１端面４５と第２端面４６との間の距離Ｌ５はプラグ３７の長さＬ４以上である。収容凹部４４の長手方向と直交する横寸法Ｌ６はプラグ３７の横寸法Ｌ３以上である。なお、横寸法Ｌ６とは、縦壁４７と傾斜壁４９の手前側端部との間の水平方向距離である（図８（Ｂ）参照）。収容凹部４４の縦寸法Ｌ７はプラグ３７の縦寸法Ｌ２以上である。なお、縦寸法Ｌ７とは、傾斜壁４９の高さである。これら収容凹部４４の各寸法がプラグ３７の各寸法以上であるので、プラグ３７を収容凹部４４に収容できる。また、吸気口４１に収容凹部４４を設けることで吸気面積を大きくし、炊飯器本体１１の内部に取り込む気体の量を増やして炊飯器本体１１内部の冷却効率を高めることができる。
【００３７】
固定用リブ５２は、傾斜壁４９の表面から縦壁４７に向かって突出し、スリット４２に沿って延びる板状である。これにより、固定用リブ５２の構成を簡単にし、製造コストを削減できる。また、固定用リブ５２は、吸気口４１のスリット４２に沿って延びるのでスリット４２を塞ぐことがなく、吸気口４１の開口面積を小さくせずに固定用リブ５２を設けることができる。固定用リブ５２の奥側端面５３（図８（Ａ）参照）は縦壁４７と平行であり、固定用リブ５２は縦壁４７との間でプラグ３７を挟持して固定する。
【００３８】
プラグ配設部５６は、コード出口３４と連通溝５８との間に設けられている。プラグ配設部５６はコード出口３４の奥側に位置し、内方に凹んで外部と連通している。コード出口３４の中央の点Ｐ１とプラグ配設部５６の外縁上の点Ｐ２との間の距離Ｌ１４（図７参照）は、プラグ３７の長さＬ４よりも短い。従って、プラグ配設部５６にプラグ３７を配設すると、図５（Ａ）に示すように、プラグ３７の先端部が炊飯器本体１１から外方に突出する。
【００３９】
連通溝５８は炊飯器本体１１の内方に向かって凹んだ溝であり、コード出口３４と収容凹部４４の第１端面４５との間に設けられている。連通溝５８は、コード出口３４と収容凹部４４とを直線状に連通している。連通溝５８の幅寸法Ｌ１１は、電源コード３６の太さＬ１３以上である。従って、電源コード３６を連通溝５８に収容できる。
【００４０】
以下、プラグ３７を収容凹部４４に収容する手順について説明する。炊飯もしくは保温、または炊飯器１０の使用が終了し、商用電源からプラグ３７を抜いた後、コードリール７４で電源コード３６を巻回する。そして、図６に示すように電源コード３６がコード出口３４から所定の量だけ延びた状態にする。この後、図８（Ｂ）に示すように、プラグ３７を底体２７の外方から天壁４８に向かって移動させ収容凹部４４に収容し、プラグ３７の側面を固定用リブ５２と縦壁４７との間に挟み込んで、プラグ３７を収容凹部４４に固定する（図７および図８（Ａ）参照）。また、電源コード３６を連通溝５８内に収容する。
【００４１】
以上のように、吸気面積を増やすために吸気口４１に形成された収容凹部４４にプラグ３７を収容するので、吸気口４１に吸気とプラグ３７の収容という２つの役割を兼用させ、省スペース性を損なうことなくプラグ３７を収容できる。プラグ３７を収容凹部４４に収容できるので、プラグ３７が炊飯器本体１１から外方に突出し、人や他の電気製品と接触することによりプラグ３７が痛むのを防止できる。また、収容凹部４４にプラグ３７を固定し吸気口４１の一部を塞ぐことで、吸気口４１から炊飯器本体１１内部に埃などが侵入するのを防止できる。電源コード３６を連通溝５８に挿通することで、電源コード３６が炊飯器本体１１からはみ出るのを防止し電源コード３６をより確実に炊飯器本体１１に収容できる。収容凹部４４に収容されたプラグ３７が吸気口４１の長手方向と平行に位置するので、吸気口４１の面積を有効に活用して収容凹部４４にプラグ３７を収容できる。傾斜壁４９により収容凹部４４を構成することで、収容凹部４４にプラグ３７を収容する初期の収容凹部４４の開口面積が大きくなり、プラグ３７を収容凹部４４に収容し易い。一方、炊飯器本体１１を持ち上げて収容凹部４４にプラグ３７を収容するのが困難なときには、プラグ配設部５６にプラグ３７を一時的に配設してもよい。
【００４２】
図２および図９に示すように、基板ホルダ６２は、中央に位置する基部６３と、基部６３の両端部に設けられ、手前側（矢印Ｄと反対側）に向かって横方向外方に斜めに延びる一対の側面部６６，７１とを備えている。この構成により、基板ホルダ６２の基部６３を炊飯器本体１１の奥側内側面に沿って配置したときに、側面部６６，７１が炊飯器本体１１内部の他の部材と干渉するのを防止しつつ、基板ホルダ６２に、後述するコードリール収容部６７および回路基板７６を配設する領域を確保できる。基板ホルダ６２には複数のねじ孔６５が形成されている（図１０参照）。基板ホルダ６２は、このねじ孔６５に挿通するねじ（図示せず）により肩体２０の裏面にねじ止めされる。
【００４３】
基部６３は側面部６６，７１を連結し、その長手方向中央部の下側には、奥側に向かって突出する中空のファン設置部６４が設けられている。ファン設置部６４には、炊飯器本体１１内の部品を冷却するファン（図示せず）が設置される。これにより、基板ホルダ６２に後述するコードリール収容部６７および回路基板７６に加えてファンを配設でき、より一層、炊飯器本体１１の内部空間に余裕を持たせることができる。
【００４４】
一方の側面部（第１側面部）６６には、コードリール７４を収容するコードリール収容部６７が形成されている。このように、基板ホルダ６２にコードリール収容部６７を一体に設けることで、炊飯器１０を構成する部品点数を削減すると共に、炊飯器本体１１の内部空間に余裕を持たせることができる。また、基板ホルダ６２の形状を有効に活用して、コードリール収容部６７を基板ホルダ６２に設けることができる。
【００４５】
コードリール７４は、内部で電源コード３６を巻回する、外周部に板状のリブ７５が形成された略円形である。コードリール収容部６７は正面視略半円形状である。また、コードリール収容部６７の下端は開口しており、内部にコードリール７４を挿入する空洞部６９が形成されている。コードリール収容部６７の奥側（矢印Ｄ側）外周部の下端には、開口縁部から上方に延びる保持溝７０が形成されている。コードリール７４を空洞部６９に挿入すると、コードリール７４のリブ７５が保持溝７０内に挿入して挟み込まれ、コードリール７４はコードリール収容部６７内に保持される。
【００４６】
他方の側面部（第２側面部）７１は正面視略矩形の板状であり、その外側面７２には、後述する回路基板７６ａが配設される（図１０参照）。また、第１側面部６６の外側端部６８と第２側面部７１の外側端部７３との間に位置するように、回路基板７６ｂが配設される。この構成により、基板ホルダ６２と回路基板７６とを合わせた全体の体積（寸法）が大きくならず、炊飯器本体１１の内部空間に余裕を持たせることができる。また、回路基板７６ｂと基部６３との間に所定の隙間を確保でき、更に、ファンにより回路基板７６ｂが冷却されるので、回路基板７６ｂの放熱性を向上できる。
【００４７】
回路基板７６は、商用電源からの電力を炊飯器本体１１内の部品に供給するために直流電圧に変換する電源回路用基板（図示せず）であってもよく、または部品を制御する制御基板７７であってもよい。部品は例えば、内鍋ヒータ１７である。
【００４８】
図１１（Ａ）および（Ｂ）に示すように、制御基板７７ｂはヒートシンク７９と共に、ねじ孔７８に挿通するねじ（図示せず）を介して、基板ホルダ６２にねじ止めされる。なお、制御基板７７の基板ホルダ６２への固定は、ねじ止めに限定されず、基板ホルダ６２に係止爪（図示せず）を設け、この係止爪で制御基板７７の両面を挟み込んで保持してもよく、固定方法は限定されない。
【００４９】
本発明は前記実施形態に限定されず、種々の変形が可能である。
電源コード３６の収容構造を炊飯器１０に適用したがこれに限定されず、その他の家庭用電気製品に適用してもよい。吸気口４１に関しては、前記実施形態では炊飯器１０の底壁３０に設けたが、側壁に設けても同様の効果を得ることができる。
【００５０】
収容凹部４４に関しては、前記実施形態では吸気口４１に設けたがこれに限定されず、排気口５４に設けてもよい。また、収容凹部４４の断面は略台形形状であるがこれに限定されず、長方形または正方形の断面形状であってもよい。前記実施形態では、収容凹部４４は、縦壁４７と天壁４８と傾斜壁４９とから構成したがこれに限定されない。例えば、図１２に示すように、傾斜壁４９をなくし、縦壁４７および天壁４８のみからなる構成を採用してもよい。これら縦壁４７と天壁４８とが段部を形成し、この段部を利用して固定部５０を設けプラグ３７を固定してもよい。なお、図１２において、図８（Ｂ）と同一の要素には同一の符号を付して説明を省略する。また、固定部５０へのプラグ３７の固定は、従来公知の種々の方法を採用できる。
【００５１】
固定用リブ５２に関しては、前記実施形態では傾斜壁４９の表面から縦壁４７に向かって突出し、スリット４２に沿って延びる板状に形成したが、これに限定されない。例えば図１３に示すように、傾斜壁４９の表面から縦壁４７に向かって突出し、所定の幅寸法Ｌ８を有する幅太の固定用リブ８１を採用してもよい。これにより、固定用リブ８１によるプラグ３７の保持力を向上できる。なお、幅Ｌ８の寸法は、並設された複数のフリット４２を包含する寸法であれば特に限定されない。
【００５２】
また、図１４に示すように、傾斜壁４９の表面から縦壁４７に向かって突出する固定用リブ８２の上端部に、奥側（矢印Ｄ方向）に向かって延びる突起８３を設けてもよい。これにより、突起８３の先端と縦壁４７との間の開口から収容凹部４４内にプラグ３７を収容した後、突起８３と天壁４８との間でプラグ３７を挟持して保持できる。
【符号の説明】
【００５３】
１１  炊飯器本体（本体）
３４  コード出口
３６  電源コード
３７  プラグ
４１  吸気口（通気口）
４２  スリット
４４  収容凹部（固定部）
４５  第１端面（コード出口側の端面）
４７  縦壁
４８  天壁
４９  傾斜壁
５０  固定部
５２  固定用リブ
５６  プラグ配設部
５８  連通溝
【図１】
2015029880.tif 000003
【図２】
2015029880.tif 000004
【図３】
2015029880.tif 000005
【図４】
2015029880.tif 000006
【図５】
2015029880.tif 000007
【図６】
2015029880.tif 000008
【図７】
2015029880.tif 000009
【図８】
2015029880.tif 000010
【図９】
2015029880.tif 000011
【図１０】
2015029880.tif 000012
【図１１】
2015029880.tif 000013
【図１２】
2015029880.tif 000014
【図１３】
2015029880.tif 000015
【図１４】
2015029880.tif 000016